(57)【特許請求の範囲】
【請求項１】
底板（５）と該底板（５）の両端部に上方向へ連設させた大マチ部（６）とで構成された胴部（４）と、該胴部（４）の背面側に配置された背板（８）と、前記胴部（４）の正面側に配置された大仕切り板（７）と、を具備した主収容部（３）を有する、上部を開口とした本体部（２）と、
前記本体部（２）の上部開口を開閉自在に覆う被せ蓋（１７）と、
前記本体部（２）の背面側に取り付けられた背負いベルト（１６）と、
前記本体部（２）の正面側に具備した錠前本体（２２）と、前記被せ蓋（１７）における、前記本体部（２）の上部開口を覆ったときに前記錠前本体（２２）に対向する箇所に備えた、前記錠前本体（２２）に掛止可能な掛止部（３３）と、を具備した錠前（２１）を備えて、本体部（２）の正面側で前記被せ蓋（１７）を本体部（２）に固定可能としたスクールバッグであって、
前記錠前本体（２２）は、ベース（２３）と、該ベース（２３）に回動自在に軸支した操作つまみ（２６）と、前記ベース（２２）に前記操作つまみ（２６）側に向けて突設した嵌合突起（２９）と、を具備し、
前記掛止部（３３）は、前記嵌合突起（２９）が挿入するガイド溝（３５）と、該ガイド溝（３５）に前記嵌合突起（２９）を挿入したときに、前記操作つまみ（２６）が挿通する掛止孔（３７）と、を具備したことを特徴とするスクールバッグ。
【請求項２】
前記嵌合突起（２９）の高さを、嵌合突起（２９）の上端が前記つまみ本体（２７）の上端よりも高くなるようにしたことを特徴とする請求項１に記載のスクールバッグ。
【請求項３】
前記掛止部（３３）は、前記被せ蓋（１７）に形成した取付孔の周辺部が挿入されるカシメ凹部（３４）を外周部に具備しており、該カシメ凹部（３４）内に被せ蓋（１７）における取付孔の周辺部分を挿入することで、被せ蓋（１７）に固定したことを特徴とする請求項１又は請求項２に記載のスクールバッグ。
【請求項４】
前記ベース（２３）は、ベース本体（２４）と該ベース本体（２４）の正面側に連結した化粧プレート（２５）を具備したことを特徴とする請求項１乃至請求項３のいずれかに記載のスクールバッグ。
【請求項５】
前記ベース（２３）に磁石を具備したことを特徴とする請求項１乃至請求項４のいずれかに記載のスクールバッグ。
【請求項６】
前記主収容部（２）の正面側に、底部を備えた中マチ部（１０）と該中マチ部（１０）の正面側に備えた中仕切り板（１１）とを具備した、上部を開口とした胴前収容部（９）を取り付け、該胴前収容部（９）の中仕切り板（１１）に前記錠前本体（２２）を具備したことを特徴とする請求項１乃至請求項５のいずれかに記載のスクールバッグ。
【請求項７】
前記胴前収容部（９）の正面側に、底部を有する小マチ部（１３）と、該小マチ部（１３）の正面側に配置した正面板（１４）とを具備し、少なくとも上部をファスナー（１５）によって開閉自在としたポケット部（１２）を取り付け、該ポケット部（１２）の正面板（１４）に前記錠前本体（２２）を具備したことを特徴とする請求項６に記載のスクールバッグ。
【請求項８】
前記主収容部（２）の正面側に、底部を有する小マチ部（１３）と、該小マチ部（１３）の正面側に配置した正面板（１４）とを具備し、少なくとも上部をファスナー（１５）によって開閉自在としたポケット部（１２）を取り付け、該ポケット部（１２）の正面板（１４）に前記錠前本体（２２）を具備したことを特徴とする請求項１乃至請求項５のいずれかに記載のスクールバッグ。
【発明の詳細な説明】
【技術分野】
【０００１】
本発明はスクールバッグに係り、より詳しくは、被せ蓋の開閉に際して金具によって本人や周囲にいる者が怪我をすることを防止することができるとともに、全体を軽量化することを可能としたスクールバッグに関する。
【背景技術】
【０００２】
ランドセルに代表されるスクールバッグは、上部に開口を有する主収容部を有しており、この主収容部は一般的に、底板とこの底板の両端部に上方向へ連設させた大マチ部とで構成される胴部と、この胴部の背面側に取り付けられた背板と、胴部の正面側に取り付けられた前板とで構成されている。
【０００３】
また、主収容部の正面側には、上部を開口とした胴前収容部が具備され、更に、胴前収容部の正面側には適宜、ポケット部が備えられている。
【０００４】
そして、主収容部の上部開口からポケット部の下方部分までを覆うことができるように、開閉可能な配置で被せ蓋が備えられている。
【０００５】
更に、背板には一対の肩ベルトが取り付けられており、この一対の肩ベルトはそれぞれ、背板の上部中央部分に取り付けた背環（図示せず）によって、その上端が前記背板に取り付けられ、下端部はそれぞれ、底板に装着した、いわゆる「だるま環」（図示せず）に回動自在に装着した下ベルトに、着脱自在に連結されている。
【０００６】
ところで、従来のスクールバッグでは、被せ蓋の先端側に、いわゆる「Ｙベロ」と言われる連結用の生地を取り付けており、この「Ｙベロ」の先端に掛止板を取り付け、一方、主収容部の底板の外側には、操作つまみを有する錠前を取り付けて、操作つまみに掛止板を掛止することで、被せ蓋の先端部を底板に固定していた。
【０００７】
即ち、図１３が、一般的にスクールバッグに用いられている被せ蓋５１の先端部分を示す図で、図において５２が「Ｙベロ」である。また、図において５３が掛止板であり、この掛止板５３は、Ｙベロ５２を介して、前記被せ蓋５１の先端に揺動自在に取り付けられており、掛止孔５４が形成されている。
【０００８】
一方、図１４は従来のスクールバッグの底部分を示す図で、図において５５が、スクールバッグの底板に取り付けた錠前であり、５６は操作つまみである。そして、操作つまみ５６は、回動自在であり、前記掛止孔５４に挿通可能とされている。
【０００９】
そしてこの構成によって、操作つまみ５６を掛止孔５４に挿通させることで掛止板５３を操作つまみ５６に掛止し、その後に操作つまみ５６を回動することで、操作つまみ５６が掛止孔５４から抜けない状態にすることで、施錠が完了して被せ蓋５１の先端部を底板に備えた錠前５５に固定していた。
【００１０】
このように、従来のスクールバッグでは、Ｙベロを介して被せ蓋の先端側に掛止板を取り付けているために、被せ蓋の開閉を行うに際して、掛止板５３が上下方向に大きく揺れてしまい、掛止板が本人あるいは周囲にいる者に当たってしまい、それにより、本人あるいは周囲にいる者が怪我をしてしまうおそれが考えられた。また、被せ蓋を開閉する際にはスクールバグを横向きに倒す必要があるために、教科書等の出し入れの際に手間がかかるという問題点が指摘されていた。
【００１１】
そのために、このような問題点を解決するために、スクールバッグの正面側に錠前を取り付けて、この錠前に掛止可能な掛止具を被せ蓋に取り付けて、スクールバッグの正面で被せ蓋を固定する方法が提案されている。
【先行技術文献】
【特許文献】
【００１２】
【特許文献１】実用新案登録第３１１８９２１号公報
【特許文献２】実用新案登録第３１４４４２９号公報
【特許文献３】実用新案登録第３０５６７０４号公報
【発明の概要】
【発明が解決しようとする課題】
【００１３】
しかし、スクールバッグの正面側に錠前を取り付け、この錠前に掛止可能な掛止具を被せ蓋に取り付けることで、スクールバッグの正面で被せ蓋を固定する場合には、被せ蓋によってスクールバッグの正面側が隠されてしまうために錠前の位置を正確に把握することができず、操作つまみを迅速に掛止孔に挿通させることが困難となってしまう。
【００１４】
即ち、Ｙベロの先端に掛止板を取り付けた場合には、操作つまみの位置の把握が容易であるために、操作つまみを掛止孔に挿通させることは容易であるが、被せ蓋に掛止板を備えた場合には被せ蓋が障害になってスクールバッグの正面側が見えないために、手探りで操作つまみの位置を見つけなければならないため、操作つまみを迅速に掛止孔に挿通させることが困難となってしまうことがある。
【００１５】
そしてこのとき、操作つまみの位置をある程度予想しつつ、手探りで操作つまみの位置を探して操作つまみで掛止孔を挿通する場合には、掛止板を操作つまみにぶつけてしまうことが多々あるために、繰り返し使用していると操作つまみが傷んでしまうという問題点が指摘できる。
【００１６】
そこで、本発明は、スクールバッグの正面側に錠前を取り付けるとともにこの錠前の操作つまみに掛止可能な掛止板を被せ蓋に取り付けて、スクールバッグの正面側で被せ蓋を固定するスクールバッグにおいて、掛止板を容易に操作つまみに掛止できるとともに、錠前の損傷を防止可能としたスクールバッグを提供することを課題としている
【課題を解決するための手段】
【００１７】
本発明のスクールバッグは、
底板と該底板の両端部に上方向へ連設させた大マチ部とで構成された胴部と、該胴部の背面側に配置された背板と、前記胴部の正面側に配置された大仕切り板と、を具備した主収容部を有する、上部を開口とした本体部と、
前記本体部の上部開口を開閉自在に覆う被せ蓋と、
前記本体部の背面側に取り付けられた背負いベルトと、
前記本体部の正面側に具備した錠前本体と、前記被せ蓋における、前記本体部の上部開口を覆ったときに前記錠前本体に対向する箇所に備えた、前記錠前本体に掛止可能な掛止部と、を具備した錠前を備えて、本体部の正面側で前記被せ蓋を本体部に固定可能としたスクールバッグであって、
前記錠前本体は、ベースと、該ベースに回動自在に軸支した操作つまみと、前記ベースに前記操作つまみ側に向けて突設した嵌合突起と、を具備し、
前記掛止部は、前記嵌合突起が挿入するガイド溝と、該ガイド溝に前記嵌合突起を挿入したときに、前記操作つまみが挿通する掛止孔と、を具備したことを特徴としている。
【発明の効果】
【００１８】
本発明のスクールバッグは、スクールバッグの本体部の正面側に錠前本体を具備し、この錠前本体に掛止される掛止部を被せ蓋に備え、本体部の正面側で被せ蓋を本体部に固定可能としたスクールバッグにおいて、錠前本体は、ベースと、このベースに回動自在に軸支した操作つまみと、ベースに操作つまみ側に向けて突設した嵌合突起を具備し、掛止部は、嵌合突起が挿入するガイド溝と、ガイド溝に嵌合突起が挿入したときに操作つまみが挿通する掛止孔を具備している。
【００１９】
そのために、錠前本体に掛止部を掛止する際に、手探りで操作つまみの位置を見つけることなく、嵌合突起をガイド溝に挿入することで、容易かつ迅速に、操作つまみを掛止孔に挿通させることが可能である。
【００２０】
また、ベースに嵌合突起を突設しているために、掛止部を操作つまみにぶつけてしまうことが無く、従って、繰り返し使用している場合でも、操作つまみが傷んでしまうことが無い。
【図面の簡単な説明】
【００２１】
【図１】本発明のスクールバッグの実施例の斜視図である。
【図２】本発明のスクールバッグの実施例に用いる錠前本体を正面から示した図である。
【図３】本発明のスクールバッグの実施例に用いる錠前本体を平面から示した図である。
【図４】本発明のスクールバッグの実施例に用いる錠前本体を平面から見た場合の構造を示した図である。
【図５】化粧プレートを外した状態の本発明のスクールバッグの実施例に用いる錠前本体を正面から見た図である。
【図６】化粧プレートを外した状態の本発明のスクールバッグの実施例に用いる錠前本体を平面から見た場合の構造を示した図である。
【図７】本発明のスクールバッグの実施例に用いる化粧プレートを正面から示した図である。
【図８】本発明のスクールバッグの実施例に用いる化粧プレートを平面から見た場合の構造を示した図である。
【図９】本発明のスクールバッグの実施例に用いる掛止部を正面から示した図である。
【図１０】本発明のスクールバッグの実施例に用いる掛止部を背面から示した図である。
【図１１】本発明のスクールバッグの実施例に用いる掛止部を平面から見た場合の構造を示した図である。
【図１２】本発明のスクールバッグの実施例に用いる錠前を平面から見た場合の構造を示した図である。
【図１３】従来のスクールバッグにおける被せ蓋の係止方法を説明するための図であり、被せ蓋の先端部分を示している。
【図１４】従来のスクールバッグにおける被せ蓋の係止方法を説明するための図であり、本体部の底部分を示している。
【発明を実施するための形態】
【００２２】
本発明のスクールバッグは本体部を構成する主収容部を具備しており、この主収容部は、底板とこの底板の両端部に上方向へ連設させた大マチ部とで構成された胴部と、胴部の背面側に配置された背板と、胴部の正面側に配置された大仕切り板を具備して構成され、上部を開口とした形態としている。
【００２３】
更に、本発明のスクールバッグでは、本体部の上部開口を開閉自在に覆う被せ蓋を有しており、更にまた、本体部の背面側には、背負いベルトが取り付けられている。
【００２４】
また、本発明のスクールバッグでは、被せ蓋の先端部を本体部に固定するための錠前を有しており、この錠前は、錠前本体と、この錠前本体に掛止可能な掛止部を具備し、錠前本体は本体部の正面側に取り付けられ、掛止部は被せ蓋に取り付けられている。
【００２５】
そして、掛止部は、被せ蓋を閉じて被せ蓋で本体部の上部開口を覆ったときに、前記錠前本体に対向する箇所に備えており、本体部の正面側で被せ蓋の先端を本体部に固定可能としている。
【００２６】
また、錠前本体はベースを有しており、このベースには、回動自在にして操作つまみを軸支しており、更にベースには、操作つまみ側に向けて嵌合突起を突設している。
【００２７】
一方、掛止部は、ベースに突設した嵌合突起が挿入するガイド溝が形成されており、更に、ガイド溝に嵌合突起を挿入したときに、ベースに軸支した操作つまみが挿通する掛止孔が形成されている。
【００２８】
ここで、嵌合突起の高さを、嵌合突起の上端がつまみ本体の上端よりも高くなるようにするとよく、それにより、嵌合突起によりって、操作つまみを保護することが可能となる。
【００２９】
また、掛止部の外周部に、前記被せ蓋に形成した取付孔の周辺部が挿入されるカシメ凹部を形成し、このカシメ凹部内に被せ蓋における取付孔の周辺部分を挿入して、掛止部を被せ蓋にカシメすることで、掛止部を被せ蓋に固定するとよく、これにより掛止部を強固に被せ蓋に取り付けることが可能である。
【００３０】
更に、ベースを、ベース本体とこのベース本体の正面側に連結した化粧プレートで構成するとよく、これによりベースの正面側を飾ることが可能となる。
【００３１】
更にまた、ベースに磁石を具備するとよく、これにより、磁石の磁力により、掛止部を錠前本体に掛止した際に、磁力で掛止部をベースに吸着して仮止めすることが可能である。
【００３２】
また、主収容部の正面側に、底部を備えた中マチ部とこの中マチ部の正面側に備えた中仕切り板とを具備して上部を開口とした胴前収容部や、底部を有する小マチ部とこの小マチ部の正面側に配置した正面板とを具備して少なくとも上部をファスナーによって開閉自在としたポケット部を取り付けて、胴前収容部の中仕切り板やポケット部の正面板に、錠前本体を具備してもよく、また、胴前収容部の正面側にポケット部を取り付けて、このポケット部の正面板に錠前本体を具備してもよい。
【実施例１】
【００３３】
本発明のスクールバッグの実施例について図面を参照して説明すると、図１は本実施例のスクールバッグの正面側の斜視図であり、図において１が本実施例のスクールバッグである。
【００３４】
そして、本実施例のスクールバッグ１は、上部を開口とした本体部を有している。即ち、図において２が本体部であり、本実施例において前記本体部２は、主収容部と、主収容部の正面側に取り付けた胴前収容部と、胴前収容部の正面側に具備したポケット部を備えている。
【００３５】
ここで、前記主収容部について説明すると、図において３が主収容部であり、本実施例において前記主収容部３は胴部を有している。即ち、図において４が胴部であり、この胴部４は、底板５と、この底板５の両端部に上方向へ連設させた大マチ部６で構成され、逆門状としている。そして、胴部４の正面側開口は大仕切り板７で閉鎖され、胴部４の背面側開口は背板８で閉鎖され、これにより、上部を開口とした主収容部３が構成されている。
【００３６】
次に、図において９が胴前収容部である。即ち、本実施例のスクールバッグ１では、一般的なスクールバッグと同様に、前記主収容部３の正面側に、底部を備えた中マチ部１０が取り付けられ、この中マチ部１０の正面側には中仕切り板１１が取り付けられており、これにより、主収容部３の正面側に、上部を開口とした胴前収容部９が取り付けられ、主収容部２と胴前収容部９とで本体部が構成されている。但し、この胴前収容部９は必ずしも必要なものではなく、これを備えない構成としてもよい。
【００３７】
次に、図において１２が、前記胴前収容部９の正面側に備えたポケット部である。そして、本実施例において前記ポケット部１２は、底部を備えた小マチ部１３と、この小マチ部１３の正面側に配置された正面板１４を具備して構成されており、ファスナー１５によって、上部、あるいは左右側壁部の上方部分から上部までが、開閉自在とされている。なお、このポケット部１２は必ずしも必要なものではなく、これを備えない構成としてもよい。また、図に示すように、本実施例において前記ポケット部１２は、前記中仕切り板１１における下方部分に配置されているが、必ずしもこの配置にする必要はなく、ポケット部を有する一般的なスクールバッグと同じように、中仕切り板における下方３分の２程度部分に配置してもよい。
【００３８】
次に、図において１６は肩ベルトである。即ち、本実施例において、前記背板８には一対の肩ベルト１６が取り付けられており、この肩ベルト１６は、それぞれの上端が、背板８の上部中央部分に取り付けた背環（図示せず）を介して、前記背板８に取り付けられ、下端部はそれぞれ、前記胴部４の下面に装着した、いわゆる「だるま環」と言われる連結金具（図示せず）に連結されている。
【００３９】
また、図において１７は被せ蓋である。即ち、本実施例のスクールバッグ１では、前記本体部２の上部開口から前記ポケット部１２の正面板１４までを開閉自在に覆うことができるように被せ蓋１７が備えられている。そして、被せ蓋１７は、背板８の上方側に基端側が取り付けられ、先端側部分は自由端とされ、先端を背板８側にして開くことで前記主収容部３の上部開口及び胴前収容部９の上部開口を開放して、一方、先端部をポケット部１２の正面板１４側にして閉じることで、前記主収容部３の上部開口及び胴前収容部９の上部開口を閉鎖することとしており、従って、被せ蓋１７は、閉じた際に先端が前記ポケット部１２の正面板１４の下方部分に至る程度の長さとしている。
【００４０】
次に、図において２１は錠前であり、本実施例のスクールバッグでは、被せ蓋１７をポケット部１２の正面板１４に固定することとしている。即ち、本実施例では、錠前本体と、この錠前本体に掛止可能な掛止部で前記錠前２１を構成しており、前記ポケット部１２の正面板１４に錠前本体を取り付け、一方掛止部は、前記被せ蓋１７を閉じた際に、被せ蓋１７における錠前本体に対向する箇所に取り付け、これにより、錠前本体に掛止部を掛止することで、被せ蓋１７をポケット部１２の正面板１４に固定することとしている。
【００４１】
ここで、ポケット部１２の正面板１４に取り付ける錠前本体について説明すると、図２は前記錠前本体の正面図であり、図において２２が錠前本体である。また、図３は錠前本体２２の平面図、図４は、図２におけるＡ−Ａ線断面図で錠前本体の構造を示している。
【００４２】
そして、図において２３はベースであり、前記ベース２３は、箱状としたベース本体２４と、このベース本体２４に連結可能な化粧プレート２５を具備しており、ベース本体２４を前記ポケット部１２の内部に収容し、化粧プレート２５を前記ポケット部１２の外側に配置し、ベース本体２４と化粧プレート２５を、ベース本体２４と化粧プレート２５でポケット部１２の正面板１４を挟持しつつ、互いに連結している。従って、前記ベース２３は、ベース本体２４に化粧プレート２５を連結した際に、ベース本体２４と化粧プレート２５間に、ポケット部１２の正面板１４が挿入可能な空間が形成されるようにしている。そして、図４において点線で示している部分１４が、ベース本体２４と化粧プレート２５間に挟持された正面板１４であり、図５は、化粧プレート２５を外した状態の錠前本体２２の正面図、図６は図５におけるＢ−Ｂ線断面図である。
【００４３】
なお本実施例においては、ベース本体２４及び化粧プレート２５のいずれも樹脂製としているが、素材は特に限定されず、必ずしも、樹脂には限定されない。
【００４４】
また、図示は省略するが、本実施例において前記ベース本体２４内には磁石が備えられおり、この磁石の磁力により、掛止部を錠前本体に掛止した際に、磁力で掛止部をベース２３に吸着して仮止め可能にしている。
【００４５】
次に、図において２６は操作つまみである。即ち、本実施例においては、操作つまみ２６を有している。そして、前記操作つまみ２６は、直法体形状としたつまみ本体２７と、つまみ本体２７の正面に直交する方向に向けて連設された回動軸２８を有しており、回動軸２８は、ベース本体２４に回動自在に連結されている。具体的には、ベース本体２４を貫通しつつ、下端部はビス等により、ベース本体２４に回動自在に連結されており、回動軸２８のつまみ本体側は、ベース本体２４から上方に突出している。
【００４６】
次に、図において２９は嵌合突起である。即ち、前記ベース本体２４の正面側の表面には、所定長の高さとした嵌合突起が、操作つまみ２６と同じ方向へ向けて突設されている。
【００４７】
ここで、前記嵌合突起２９について説明すると、本実施例において前記嵌合突起２９は、正面視野を円弧状としており、前記操作つまみ２７を左右側から囲むような配置で、一対個をベース本体２４に突設している。また、本実施例においては、図３、４からも明らかなように、前記嵌合突起２９の高さは、嵌合突起２９の上端が前記つまみ本体２７の上端よりも高くなるようにしている。
【００４８】
更に、本実施例においては、前記嵌合突起２９の互いに対向する内側はテーパー状にしており、下方に行くに従って厚みが増すような構成としている。そしてこれにより、一対個の嵌合突起２９により、嵌合突起２９の内周側がすり鉢状になるようにしている。なお、本実施例において前記嵌合突起２９は樹脂製としており、前記ベース本体２４と一体に形成している。
【００４９】
次に、図において３０は固定台である。即ち、前記ベース本体２４上には固定台３０が固定されており、前記操作つまみ２６の回動軸２８は、前記固定台３０を回動自在に貫通している。そして、本実施例において前記固定台３０は、外形状はつまみ本体２７とほぼ同等としており、前記つまみ本体２７よりも一回り程度大きい外径としている。
【００５０】
次に、前記化粧プレート２５について説明すると、図７は前記化粧プレート２５の正面図であり、また図８は、図７におけるＣ−Ｃ線断面図であり化粧プレート２５の構造を示している。そして、前記化粧プレート２５は貫通孔を有している。即ち、図において３１が貫通孔であり、この貫通孔３１は、前記固定台とほぼ同等かわずかに大きい形状寸法としており、化粧プレート２５をベース本体２４に連結した際に、前記つまみ本体２７が通過して、固定台３０が貫通孔３１の内周側に嵌合することとしている。従って、化粧プレート２５の厚さ寸法は、前記固定台３０の高さ寸法よりも同等以下としており、これにより、化粧プレート２５をベース本体２４に連結した際に、固定台３０の表面が化粧プレート２５の表面よりもベース本体側に下がらないようにしている。
【００５１】
次に、図において３２はガイド孔である。即ち、前記化粧プレート２５には、ベース本体２４に化粧プレート２５を連結した際に、ベース本体２４に突設した嵌合突起２９が貫通するガイド孔３２が形成されている。そしてこれにより、ベース本体２４に化粧プレート２５を連結した状態では、嵌合突起２９が化粧プレート２５の正面側に突設することとしている。従って、図７からも明らかなように、前記ガイド孔３２は、嵌合突起２９の形状に合わせて、正面視野を円弧状とし、前記貫通孔３１を左右側から囲むような配置で一対個を形成している。
【００５２】
なお、図８からも明らかなように、本実施例において前記化粧プレート２５は、前記ガイド孔３２の内周側を一段、化粧プレート２５の厚み分程度下げ、一方、前記ベース本体２４においては、嵌合突起２９の内周側を一段、わずかに上げているが、必ずしもこのようにする必要はない。
【００５３】
なお、錠前本体２２を取り付ける箇所は特に限定されないが、被せ蓋２０を閉じた際に被せ蓋の下方部分に対応する箇所に取り付けるとよい。そして、ポケット部１２を備えない場合には胴前収容部９の中仕切り板１１に取り付け、胴前収容部９を備えない場合には、主収容部３の大仕切り板７に取り付ける。
【００５４】
次に、錠前本体２２に掛止される掛止部について説明すると、図９は掛止部の正面図、図１０は掛止部の背面図、図１１は図９におけるＤ−Ｄ断面図で掛止部の構造を示している。そして、図において３３が掛止部であり、本実施例における掛止部３３は、正面視野を楕円形状とした金属製の板状としており、正面側はわずかに正面に向けて湾曲させている。なお、掛止部３３は必ずしも金属製にする必要は無く樹脂製の板状としてもよい。
【００５５】
また、外周部には、被せ蓋２０を挿入するためのカシメ凹部が形成されている。即ち、図において３４がカシメ凹部であり、前記掛止部３３を被せ蓋２０に取り付ける際には、前記被せ蓋１７を閉じた際に、被せ蓋１７における錠前本体２２に対向する箇所に取付孔を形成し、被せ蓋１７における取付孔の周辺部分がカシメ凹部３４内に挿入されるようにして、掛止部３３で取付孔を塞ぎ、その後、鋲で掛止部３３を被せ蓋２０に固定する。
【００５６】
次に、図において３５はガイド溝である。即ち、本実施例における掛止部３３ではガイド溝３５を有しており、このガイド溝３５は、錠前本体２２に形成した嵌合突起２９が挿入可能な形状寸法としており、このガイド溝３５内に、錠前本体２２に形成した嵌合突起２９を挿入することとしている。
【００５７】
このガイド溝３５について具体的に説明すると、本実施例においては、前記掛止部３３の中央部分を裏面側に凹ませて操作空間３６を形成し、この操作空間３６の底部に、前記操作つまみ２６のつまみ本体２７が挿通する長方形状の掛止孔３７を形成し、操作空間３６の周囲を、嵌合突起２９が挿入可能なガイド溝３５としている。従って、前記操作空間３６は、掛止孔３７に操作つまみ２６のつまみ本体２７を挿通したときに、周囲に嵌合突起２９が位置する外形寸法としており、これにより、ガイド溝３５内に嵌合突起２９を嵌合させることで、掛止孔３７に操作つまみ２６のつまみ本体２７を挿通させることを可能としている。
【００５８】
また、前記固定台３０とつまみ本体２７間には、前記掛止部３３における掛止孔３７の周辺が挿入可能な間隔を形成している。そしてこれにより、掛止孔３７に操作つまみ２６のつまみ本体２７を挿通した後に、操作つまみ２６を回動することを可能としている。即ち、本実施例では、化粧プレート２５の厚さ寸法を固定台３０の高さ寸法よりも同等以下とすることで、化粧プレート２５をベース本体２４に連結した際に固定台３０の表面が化粧プレート２５の表面よりもベース本体側に下がらないようにしているため、更に、固定台３０とつまみ本体２７間に掛止部３３における掛止孔３７の周辺が挿入可能な間隔を形成しているため、掛止孔３７に操作つまみ２６のつまみ本体２７を挿通した状態で、操作つまみ２６を、掛止孔３７に直交する方向に回動すると、つまみ本体２７が、掛止部３３の上方で回動することとしている。
【００５９】
更に、本実施例において前記操作空間３６の側壁は下に行くに従って径が小さくなるようなテーパー状にしており、これにより、操作空間３６がすり鉢状になるようにしている。従って、前記ガイド溝３５の内周側の側壁も、下に行くに従って径が小さくなるテーパー面となっている。そのため、嵌合突起２９をガイド溝３５内に挿入することが容易である。即ち、嵌合突起２９をガイド溝３５内に挿入させるときには、嵌合突起２９のテーパー面をガイド溝３５内のテーパー面に当接して、その状態で、滑らすようにして、掛止部３３を錠前本体側に移動することで、容易に嵌合突起２９をガイド溝３５内に挿入することが可能である。
【００６０】
次に、このように構成される本実施例のスクールバッグの作用について説明すると、本実施例のスクールバッグにおいて被せ蓋２０を本体部２に固定するときには、被せ蓋２０を閉じて、被せ蓋２０の先端部がポケット部１２の正面板１４の下方部分に至るようにしつつ、錠前本体２２の嵌合突起２９をガイド溝３５内に挿入する。そうすると、操作つまみ２６のつまみ本体２７が掛止部３３の掛止孔３７に挿通されるので、その状態で、操作つまみ２６を約９０度回動して、つまみ本体２７の長手方向が掛止孔３７の長手方向と直交する方向にする。この状態が施錠状態であり、この状態の構造を示した図が図１２である。
【００６１】
なお、前述したように、また図１２からも明らかなように、固定台３０とつまみ本体２７間には掛止部３３の厚み寸法と同等以上の隙間を形成しており、つまみ本体２７で掛止部３３の掛止孔３７を挿通させた後に、操作つまみ２６を９０度回動させると、つまみ本体２７が掛止部３３の上方を通過可能としている。従って、確実に、操作つまみ２６を回動して施錠することが可能である。
【００６２】
また、本実施例では掛止部を金属製にしているが、このように掛止部を金属製にする場合には、図示は省略するが前述したように、前記ベース２３に磁石を内蔵し、掛止部３３を操作つまみ２６に掛止した際に、磁力で掛止部３３をベース２３に吸着して仮止め可能にするとよい。そうすることで、操作つまみ２６のつまみ本体２７で掛止部３３の掛止孔３７を挿通させて掛止部３３を操作つまみ２６に掛止した後に、操作つまみ２６を９０度回動せず、それにより施錠が完了していない場合でも、掛止部３３が錠前本体２３のベース２４に仮止めされているので、被せ蓋１７が遊動してしまうことを防止できる。なおこのとき、磁石は、ベース本体２４内に内蔵する構成の他に、化粧プレート２５の裏面に取り付けても良い。また、前述したように、掛止部３３は必ずしも金属製にする必要は無く樹脂製の板状としてもよいが、掛止部３３を樹脂製にした場合においても、ベース２３に磁石を内蔵し、一方掛止部３３には磁性体を具備して、それにより、掛止部３３を操作つまみ２６に掛止した際に磁力で掛止部３３をベース２３に吸着して仮止め可能にしてもよい。
【００６３】
次に、施錠状態から開錠する場合には、操作つまみ２６を約９０度回動して、つまみ本体２７の長手方向と掛止孔３７の長手方向を一致させ、と直交する方向にする。この状態が開錠状態であり、この状態にした後に、被せ蓋２０を本体部２から離していきながら、つまみ本体２７を掛止孔３７から抜くことで、掛止を解除する。
【００６４】
そしてこのとき、本実施例のスクールバッグでは、錠前本体に嵌合突起を形成するとともに、掛止部には、操作つまみのつまみ本体が掛止孔を挿通したときに、嵌合突起が挿入するガイド溝を形成しているために、錠前本体に掛止部を掛止する際には、嵌合突起をガイド溝に挿入することで、つまみ本体を掛止孔に挿通させることができるので、つまみ本体の位置を手探りで見つけることが不要になり、容易かつ迅速に、操作つまみを掛止孔に挿通させることが可能である。
【００６５】
更にそのとき、本実施例では前記嵌合突起２９の互いに対向する内側をテーパー状にして下方に行くに従って厚みが増すような構成とし、これにより、一対個の嵌合突起２９により、嵌合突起２９の内周側がすり鉢状になるようにしており、一方、掛止部３３における操作空間３６もすり鉢状にすることで、ガイド溝３５の内周側の側壁も下に行くに従って径が小さくなるテーパー面としているため、嵌合突起２９をガイド溝３５内に嵌合させるときには、嵌合突起２９のテーパー面をガイド溝３５内のテーパー面に当接して、滑らすようにして、掛止部３３を錠前本体側に移動することで、容易に嵌合突起２９をガイド溝３５内に挿入する７ことが可能である。
【００６６】
また、本実施例において嵌合突起２９は、正面視野を円弧状にして、操作つまみ２７を左右側から囲むような配置でベース本体２４に突設しているとともに、嵌合突起２９の高さを、嵌合突起２９の上端が前記つまみ本体２７の上端よりも高くなるようにしているため、手探りでつまみ本体２７の位置を探しつつ、つまみ本体２７に掛止部３３を掛止する際に、掛止部を操作つまみにぶつけてしまうことが無い。従って、繰り返し使用している場合でも、操作つまみが傷んでしまうことが無い。
【産業上の利用可能性】
【００６７】
本発明のスクールバッグは、スクールバッグの正面側で被せ蓋を本体部に固定可能としたスクールバッグにおいて、容易かつ迅速に被せ蓋を本体部に固定可能にしているために、スクールバッグの正面側で被せ蓋を本体部に固定可能としたスクールバッグの全般に適用可能である。
【符号の説明】
【００６８】
１    スクールバッグ
２    本体部
３    主収容部
４    胴部
５    底板
６    大マチ部
７    大仕切り板
８    背板
９    胴前収容部
１０    中マチ部
１１    中仕切り板
１２    ポケット部
１３    小マチ部
１４    正面板
１５    ファスナー
１６    肩ベルト
１７    被せ蓋
２１    錠前
２２    錠前本体
２３    ベース
２４    ベース本体
２５    化粧プレート
２６    操作つまみ
２７    つまみ本体
２８    回動軸
２９    嵌合突起
３０    固定台
３１    貫通孔
３２    ガイド孔
３３    掛止部
３４    カシメ凹部
３５    ガイド溝
３６    操作空間
３７    掛止孔
【図１】
0006534344.tif 000002
【図２】
0006534344.tif 000003
【図３】
0006534344.tif 000004
【図４】
0006534344.tif 000005
【図５】
0006534344.tif 000006
【図６】
0006534344.tif 000007
【図７】
0006534344.tif 000008
【図８】
0006534344.tif 000009
【図９】
0006534344.tif 000010
【図１０】
0006534344.tif 000011
【図１１】
0006534344.tif 000012
【図１２】
0006534344.tif 000013
【図１３】
0006534344.tif 000014
【図１４】
0006534344.tif 000015